(57)【要約】【課題】広帯域アンテナを提供することを目的とする。【解決手段】アース面を有する基板２上に取り付けられる誘電体共振器１又はＤＲＡから形成される広帯域アンテナを提供する。共振器１が、アース面の少なくとも１つのエッジから、距離ｘ（ｘｔｏｐ、ｘｒｉｇｈｔ）に位置付けられ、距離ｘは、０＜ｘ＜λｄｉｅｌ／２となるよう選択され、ただし、λｄｉｅｌは、共振器の誘電体内で決められる波長であることを特徴とする。本発明は、ワイヤレスネットワークに適用される。【選択図】　図１
2004080767.tif 000002
【特許請求の範囲】
【請求項１】
アース面を有する基板上に取り付けられる誘電体共振器から形成される広帯域アンテナであって、
上記共振器は、上記アース面の少なくとも１つのエッジから、距離ｘに位置付けられ、
上記距離ｘは、０＜ｘ＜λｄｉｅｌ／２となるよう選択され、ただし、λｄｉｅｌは、上記共振器の上記誘電体内で決められる波長であることを特徴とするアンテナ。
【請求項２】
アース面を有する上記基板は、誘電体材料の素子から形成され、
上記誘電体材料の素子の少なくとも１つの面は、金属化され、アース面を構成することを特徴とする請求項１記載のアンテナ。
【請求項３】
上記共振器を担持する上記面は金属化され、
上記共振器は、上記金属面に形成されるスロットを介する結合によって、反対の面に形成される給電ラインによって給電されることを特徴とする請求項２記載のアンテナ。
【請求項４】
上記共振器を担持する面とは反対の面は金属化され、
上記共振器は、上記共振器を担持する面上に形成される給電ラインを介して給電されることを特徴とする請求項２記載のアンテナ。
【発明の詳細な説明】
【０００１】
【発明の属する技術分野】
本発明は、アース面を有する基板上に取り付けられる誘電体共振器から形成される広帯域アンテナに係る。
【０００２】
【従来の技術】
誘電体共振器から形成されるアンテナは、大量販売用製品に関連付けられ、また、家庭用ワイヤレスネットワークにおいて用いられるアンテナの開発の枠内において、興味深い解決策として認識されている。特に、このようなタイプのアンテナは、通過帯域及び放射について良好な特性を示す。更に、これらのアンテナは、表面実装可能なディスクリート・コンポーネントの形を容易にとる。このようなタイプのコンポーネントは、ＳＭＣコンポーネントという用語により知られている。ＳＭＣコンポーネントは、低価格の基板を用いることを可能にし、それにより、装置のインテグレーションを保証しながら費用を抑えることができることにより、大衆市場のワイヤレス通信分野では関心が寄せられている。更に、ＲＦ周波数機能が、ＳＭＣコンポーネントの形式で開発されると、基板の品質が低いにも関わらず良好な性能が得られ、従って、インテグレーションすることが好まれる。
【０００３】
更に、スループットに関する新しい要件は、例えば、ハイパーラン（Ｈｙｐｅｒｌａｎ）２及びＩＥＥＥ８０２．１１Ａネットワークといった高スループットマルチメディアネットワークを用いることをもたらしている。この場合、アンテナは、広い周波数帯域に亘っての動作を保証できなければならない。任意の形状の誘電体パッチから形成される誘電体共振器型のアンテナ、即ち、ＤＲＡは、その相対誘電率によって特徴付けられる。通過帯域は、誘電定数に直接関連し、従って、誘電定数が共振器の寸法を調整する。従って、誘電率が低いほど、ＤＲＡアンテナの帯域は広くなる。しかし、この場合、コンポーネントはかさ張ることになる。しかし、ワイヤレス通信ネットワークにおける使用の場合、コンパクト性の制約から、誘電体共振器アンテナの寸法を小さくすることが必要となり、そのような用途に求められる帯域幅とは両立が難しくなる場合がある。
【０００４】
【発明が解決しようとする課題】
従って、本発明は、上述した問題の解決策を提案することを目的とする。従って、本発明は、放射を損なうことなく通過帯域を広げることを可能にする、基板上への誘電体共振器の位置付けに関する設計規則を定義付ける。
【０００５】
【課題を解決するための手段】
従って、本発明の対象は、アース面を有する基板上に取り付けられる誘電体共振器から形成される広帯域アンテナであって、共振器は、アース面の少なくとも１つのエッジから、距離ｘに位置付けられ、距離ｘは、０＜ｘ＜λｄｉｅｌｅｃｔｒｉｃ／２となるよう選択され、ただし、λｄｉｅｌｅｃｔｒｉｃは、共振器の誘電体内で決められる波長であることを特徴とする。
【０００６】
本発明の１つの好適な実施例によると、アース面を形成する基板は、誘電体材料の素子から形成され、その誘電体材料の素子の少なくとも１つの面は金属化され、共振器又はＤＲＡのアース面を形成する。
【０００７】
共振器を担持する面が金属化される場合、共振器は、金属面に形成されるスロットを介する電磁気結合によって、一般的にマイクロストリップ技術による、反対の面に形成される給電ラインによって給電される。共振器は、同軸プローブ又はコプレーナラインにより励起されることも可能である。反対の面が金属化される場合、共振器は、共振器を担持する面上に形成される給電ラインを介する直接接触によって、又は、同軸プローブによって給電される。
【０００８】
本発明の他の特徴、及び、利点は、添付図面を参照しながら以下に与えられる好適な実施例の説明を読むことにより明らかとなろう。
【０００９】
【発明の実施の形態】
図１に、矩形の基板２上に取り付けられる矩形の誘電体共振器１を概略的に示す。基板２には、例えば、基板が誘電体基板である場合にその上面に金属から形成されるアース面が設けられる。
【００１０】
共振器１の位置は、その共振器がアース面のエッジの近くに又はエッジから離れて位置付けられることにより、その通過帯域に影響を与えることが観察されている。従って、例えば、共振器１と基板２のエッジ間の距離Ｘｔｏｐ又はＸｒｉｇｈｔのいずれかが十分に小さいと、共振器の通過帯域は、同様の放射を維持しながら増加すると思われる。この通過帯域の拡大は、アース面のエッジの近接性により説明することができる。その有限性が与えられるに、共振器の本質的な動作は、切り捨てられた側部（ｔｒｕｎｃａｔｅｄ　ｓｉｄｅ）が放射に寄与するので、僅かに変更される。そして、共振器及び有限のアース面から形成される結果としての構造は、従来の共振器の帯域幅より大きい帯域幅を示す。
【００１１】
従って、本発明によると、共振器がアース面の少なくとも１つのエッジから距離ｘに位置付けられるときに、広帯域アンテナが得られる。ここで、ｘは、０＜ｘ＜λｄｉｅｌ／２となるよう選択され、ただし、λｄｉｅｌは、共振器の誘電体内で決められる波長である。
【００１２】
図２乃至図４を参照して、本発明の実用的な実施例を説明する。これらの実施例では、マイクロストリップ技術の給電ラインを介して給電される矩形の誘電体共振器で研究は行われた。
【００１３】
対応する構造を図２Ａ及び図２Ｂに示す。ここでは、共振器１０は、誘電率εｒを有する誘電体材料からなる矩形のパッチから形成される。共振器は、セラミック、又は、誘電体又はポリプロピレンが入れられるポリエーテルイミドタイプの金属化可能なプラスチックに基づいた誘電体材料から形成可能である。
【００１４】
実際には、共振器は、εｒ＝１２．６の誘電率を有する誘電体から形成される。この値は、基部のセラミック材料、即ち、製造業者ＮＴＫからの低価格材料の誘電率に対応し、以下の寸法を有する。
【００１５】
ａ＝１０ｍｍ
ｂ＝２５．８ｍｍ
ｄ＝４．８ｍｍ
共振器１０は、周知の方法で、ε´ｒの誘電率を有する誘電体基板１１上に取り付けられ、その低いＲＦ周波数品質（即ち、誘電特性におけるかなりの歪みとかなりの誘電損失）を特徴とする。
【００１６】
図２Ａに示すように、基板１１の外面は金属化され、その上面にアース面を形成する金属層１２を示す。更に、図２Ｂにより詳しく示すように、共振器１０は、アース面１２に形成されるスロット１３を介する電磁気結合によって、前に金属化された下面にエッチングされるマイクロストリップライン１４によって給電される。図２Ａ及び図２Ｂに示す実施例では、使用される矩形の基板１１は、約４．４の誘電率ε´ｒと、０．８ｍｍの高さｈを示すＦＲ４タイプの基板である。これは無限の寸法を有し、即ち、距離Ｘｔｏｐ、Ｘｌｅｆｔ、Ｘｒｉｇｈｔ、及びＸｂｏｔｔｏｍは大きく、つまり、真空中の波長より大きい。スロット／ライン給電システムは、共振器上で中心に合わされ、即ち、Ｄ１＝ｂ／２、Ｄ２＝ａ／２にされる。ラインは、従来通りに、５０Ωの特性インピーダンスを示し、スロットの寸法は、ＷＳ＝２．４ｍｍ、及び、ＬＳ＝６ｍｍである。マイクロストリップラインは、スロットを垂直に横断し、スロットの中心から３．３ｍｍの張出し部ｍを有する。これらの条件下において、共振器は、５．２５ＧＨｚで動作し、略無指向性の放射で、６６４ＭＨｚ（１２．６％）の通過帯域を示す。
【００１７】
本発明では、共振器１０の位置は、基板１１のコーナの１つ、具体的には、基板の右上コーナの近くに位置付けられるよう変えられる。通過帯域の拡大を示すために、３Ｄ電磁気シミュレーションソフトウェアで、距離Ｘｔｏｐ、Ｘｒｉｇｈｔに相関させてシミュレーションを行った。結果を以下の表１に示す。
【００１８】
【表１】
2004080767.tif 000003
従って、表１の結果から分かるように、共振器とアース面のエッジの間の距離が減少するほど、通過帯域が増加する。しかし、図３によると、ｘの最小値では、適応レベルは悪化することが分かる。
【００１９】
更に、十分に大きい距離ｘより大きいとき、即ち、ｘ＞λｄｉｅｌ／２（この場合、λｄｉｅｌは、３／（５．２５＊１０＊√１２．６）＝１６ｍｍである）であるときは、共振器の位置付けは、もはや通過帯域には影響を及ぼさず、通過帯域は、無限のアース面を有する構成の通過帯域と略等しくなる。
【００２０】
本発明は、矩形の共振器を参照しながら説明した。しかし、当業者には、共振器が他の形状を有することが可能であることは明らかである。特に、正方形、円筒形、半球形等である。更に、共振器は、マイクロストリップライン及びスロットを用いて給電されるが、共振器は、同軸プローブを介して、又は、直接接触を有するマイクロストリップラインを介して、又は、任意のタイプの電磁気結合を介して給電されることも可能である。
【００２１】
非常に広い帯域を有するアンテナを得ることができる別の例示的な実施例を以下に示す。特に、行われたシミュレーションによって、誘電体共振器の寸法により条件付けられる特定の構成では、共振器の第１の高次モードＴＥ２１１Ｘは、基本モードＴＥ１１１Ｘに近いことを示すことができた。この場合、アース面の１つ以上のエッジの付近に共振器を位置付けることは、これらの２つのモードの動作周波数を近くにすることができ、これは、図４に示すように、非常に広い帯域適応を与える効果を有する。
【００２２】
表２は、非常に広い帯域適応を得るための誘電体共振器の特性寸法を示す。
【表２】
2004080767.tif 000004
【図面の簡単な説明】
【図１】基板上に取り付けられる誘電体共振器を示す平面図である。
【図２Ａ】本発明の実施例による広帯域アンテナを示す断面図である。
【図２Ｂ】本発明の実施例による広帯域アンテナを示す平面図である。
【図３】アース面の少なくとも１つのエッジに対する距離Ｘの関数として共振器の適応を表す様々な曲線を示す図である。
【図４】周波数の関数として非常に広い帯域の共振器の反射係数を表す曲線を示す図である。
【符号の説明】
１０　共振器
１１　基板
１２　アース面（金属層）
１３　スロット
１４　マイクロストリップライン
【図１】
2004080767.tif 000005
【図２Ａ】
2004080767.tif 000006
【図２Ｂ】
2004080767.tif 000007
【図３】
2004080767.tif 000008
【図４】
2004080767.tif 000009